(57)【要約】【課題】衣類をハンガーに掛けたりはずしたりする場合、衣類のネック部分の開口部にハンガーを通すが、この際、ハンガーの突起部やフック部分が衣類にかかり作業しづらい場合があった。【解決手段】前面を合わせる様に左右を二つに折り畳むハンガーとし、本体部の折り畳み動作と首部の折り畳み動作が連動する構成とすることにより、ハンガーに掛けた衣類の重量に負けて折り畳まれることがなく、逆に、衣類の重量を利用して本体部を開く方向に付勢し折り畳まれることを防ぐ構造とする。【選択図】図１
2007244450.tif 000002
【特許請求の範囲】
【請求項１】
前面を合わせる様に左右を二つに折り畳む折り畳み線上に点１５を設定し、点１５より下方を谷折りの蝶番状の構造とし、点１５より上方を山折りの蝶番状の構造とし、更に、左右の折り畳む部材のそれぞれに点１５より斜め上方に向かって折り畳み線を設け谷折りの蝶番状の構造とした事を特徴とする前面を合わせる様に左右を二つに折り畳む衣類用ハンガー。
【請求項２】
前面を合わせる様に左右を二つに折り畳む衣類用ハンガーにおいて、ハンガーの中央部付近に縦に二本の折り畳み線を設け、それぞれの折り畳み線上に点２５ａと点２５ｂを設定し、点２５ａ及び点２５ｂより下方をそれぞれ谷折りの蝶番状の構造とし、点２５ａ及び点２５ｂより上方をそれぞれ山折りの蝶番状の構造とし、更に、左の折り畳む部材の点２５ａより上方外側に向かって斜めに折り畳み線を設け谷折りの蝶番状の構造とし、同様に、右の部材の点２５ｂより上方外側に向かって斜めに折り畳み線を設け谷折りの蝶番状とした構造。
【発明の詳細な説明】
【技術分野】
【０００１】
本発明は、一般家庭等で使用される衣類用ハンガー（以降ハンガーという）に関するものである。
【背景技術】
【０００２】
衣類を掛けるハンガーは、通常ハンガー本体部分と鉤状のフックからなる。
衣類をハンガーに掛けたりはずしたりする場合には、衣類のネック部分の開口部にハンガーを通すが、ネック部分の開口部が狭いものにおいてはハンガーのフックやハンガー本体の造作が衣類に引っ掛ってハンガーを通し難くい場合がある。
【０００３】
その中で、一部においては衣類のネック部分を通す際にはハンガーのフックの部分を折り畳む構造のものや、ハンガー本体の左右の部分を下方に折り畳む構造のもの（例えば、特許文献１参照）や、ハンガーの左右の部分を前方に折り畳む構造のもの（例えば、特許文献２参照）が考えられているが、それぞれに折り畳む構造と共に、折り畳まれることを防ぐためのロック機構が必要であり、折り畳む際にはそのロック機構を解除する操作が必要である。結果として、構造が複雑になること。及び、操作が面倒という問題があった。
【０００４】
【特許文献１】特開２００５‐１２４８８７号公報
【特許文献２】特開平０９‐０８４６８４号公報
【発明の開示】
【発明が解決しようとする課題】
【０００５】
衣類をハンガーに掛けたりはずしたりする場合、衣類のネック部分の開口部に通し易く、かつはずし易いハンガーを提供することを課題とする。
【課題を解決するための手段】
【０００６】
第１発明では、この課題を解決する手段として、前面を合わせる様に左右を二つに折り畳む折り畳み線上に点１５を設定し、点１５より下方を谷折りの蝶番状の構造とし、点１５より上方を山折りの蝶番状の構造とし、更に、左右の折り畳む部材のそれぞれに点１５より斜め上方に向かって折り畳み線を設け谷折りの蝶番状の構造とし、左右を二つに折り畳み可能に構成する。
【０００７】
第２発明では、前面を合わせる様に左右を二つに折り畳むハンガーの中央部付近に縦に二本の折り畳み線を設け、それぞれの折り畳み線上に点２５ａと点２５ｂを設定し、点２５ａ及び点２５ｂより下方をそれぞれ谷折りの蝶番状の構造とし、点２５ａ及び点２５ｂより上方をそれぞれ山折りの蝶番状の構造とし、更に、左の折り畳む部材の点２５ａより上方外側に向かって斜めに折り畳み線を設け谷折りの蝶番状の構造とし、同様に右の部材の点２５ｂより上方外側に向かって斜めに折り畳み線を設け谷折りの蝶番状の構造として左右を二つに折り畳み可能に構成する。
【発明の効果】
【０００８】
第１発明の構造にすると、首部の折り畳み動作と本体部の折り畳み動作は連動して行われる。本体部に対して首部を前に倒すとそれに伴って本体部は前面を合わせる様に左右を二つに折り畳まれる。この折り畳んだ本体部を衣類のネック部分に通すことは容易である。折り畳んだ本体部を衣類のネック部分に通したら、折り曲げた首部を元に戻す様に伸ばすと、本体部は衣類の中で開いて使用状態のハンガーの姿になり衣類のショルダー部を支える。衣類を外すには、首部を前に倒すと本体部は折り畳まれ、容易に衣類のネック部分から抜き取ることができる。
【０００９】
この様に本体部の折り畳み動作と首部の折り畳み動作は連動して行われ、折り畳むとフックと本体部との距離が接近する関係にある。これは可逆的であり、フックと本体部との距離を引き離すと本体部及び首部は折り畳みを解除され使用状態のハンガーの形態となる。
【００１０】
このことを、衣類を掛けたハンガーのフックをハンガーレール等に掛けた使用状態に置き換えてみると、ハンガーに掛けた衣類の重量はフックと本体部との距離を遠ざける様に作用する、即ち衣類の重量は常に本体部を開く様に作用するから、ハンガーは衣類の重量に負けて折り畳まれることはなく、逆に、衣類の重量を利用して本体部を開く方向に付勢する。従って、本発明によるところのハンガーは、折り畳まれることを防ぐためのロック機構が無くても意に反して折り畳まれて衣類が脱落する様なことは無い。
【００１１】
この様に本発明によれば、折り畳まれることを防ぐためのロック機構を設ける必要がなく、使用に際してロック機構を操作する煩わしさのない折り畳みハンガーを提供することが出来る。
【００１２】
第２発明による効果は基本的には第１発明と同じであるが、前面を合わせる様に左右を二つに折り畳む折り畳み線を二本設けることにより、折り畳み時に重ね合わさる部分に空間が出来るため所定の構造を構成し易くなるという追加の効果がある。
【００１３】
以下、本発明の実施の形態について、図面を参照しながら説明する。
【発明を実施するための最良の形態】
【００１４】
本発明の構成には蝶番状の折り曲げ構造を多用するため、折り曲げ部分を薄肉にすることにより繰り返し折り曲げに耐える部分を容易につくることが可能なポリプロピレン樹脂等を素材としたハンガーに対して実施すると効果的である。
【実施例１】
【００１５】
図１はポリプロピレン樹脂製のハンガーに第１発明を実施した例を示す正面図である。前面を合わせる様に左右を二つに折り畳む折り畳み線上に点１５を設け、点１５より下方を谷折り蝶番部１１とし谷折りの構造とし、点１５より上方を山折り蝶番部１２として山折りの構造とし、更に、左側の折り畳む部材に点１５より斜め左上方に向かって谷折り蝶番部１３ａを設け谷折りの構造とし、右側の折り畳む部材に点１５より斜め右上方に向かって谷折り蝶番部１３ｂを設け谷折りの構造とする。
【００１６】
谷折り蝶番部１１と谷折り蝶番部１３ａに挟まれる部位を本体左半部１６ａとし、谷折り蝶番部１１と谷折り蝶番部１３ｂに挟まれる部位を本体右半部１６ｂとし、山折り蝶番部１２と谷折り蝶番部１３ａに挟まれる部位を首部左半部１７ａとし、山折り蝶番部１２と谷折り蝶番部１３ｂに挟まれる部位を首部右半部１７ｂとする。更に、首部左半部１７ａを上方に延伸して鉤型のフック１８を設ける。
【００１７】
この様に構成すると、図２に示す様に首部１７を前方に倒すとそれに連動して本体部１６は前面を合わせる様に閉じる方向に動作する。更に首部１７を前方に倒すと図３に示す様に前面を合わせる様に左右を二つに折り畳む。
【００１８】
この状態で、二つに折り畳んだ本体部１６を衣類のネック部分に通すことは図４に示す様に容易であり、更に差し入れてから折り曲げた首部１７を元に戻す様に伸ばすと、それと連動して本体部１６が開いて衣類を支え、衣類をハンガーに掛けた状態になる。
【００１９】
また、衣類をはずす時も同様に首部１７を前方に倒すとそれに連動して本体部１６は前面を合わせる様に左右を二つに折り畳み、図４に示す状態になる。この状態で衣類からハンガーを抜き取る事は容易である。
【００２０】
この様に本体部６の折り畳み動作と首部１７の折り畳み動作は連動して行われ、折り畳むと図３の様にフック１８と本体部１６との距離が接近する関係にある。これは可逆的であり、フック１８と本体部１６との距離を引き離すと本体部１６及び首部１７は折り畳みを解除され図１の状態、即ち使用状態のハンガーの形態となる。
【００２１】
このことを、衣類を掛けたハンガーのフック１８をハンガーレール等に掛けた使用状態に置き換えてみると、ハンガーに掛けた衣類の重量はフック１８と本体部１６との距離を遠ざける様に作用する、即ち衣類の重量は常に本体部１６を開く様に作用するから、ハンガーは衣類の重量に負けて折り畳まれることはなく、逆に、衣類の重量を利用して本体部１６を開く方向に付勢する。従って、本発明によるところのハンガーは、折り畳まれることを防ぐためのロック機構が無くても意に反して折り畳まれて衣類が脱落する様なことは無い。
【００２２】
本発明をポリプロピレン樹脂製のハンガーに実施した場合、蝶番状の折り曲げ構造部分は折り曲げ部分を薄肉にすることにより繰り返し折り曲げに耐える構造を得られ、一体成形も可能であり製造が容易である。
【００２３】
また、本実施例では首部左半部１７ａを上方に延伸した部分にフック１８を設けたが、これは首部右半部１７ｂを延伸した部分に設けても良い。
【００２４】
また、本実施例では蝶番状の折り曲げ構造部分は折り曲げ部分を薄肉にすることにより繰り返し折り曲げに耐える構造としたが、回転中心に軸を持つ構造の蝶番としても良い。
【００２５】
また、図５に示す様に山折り蝶番部１２を回転中心に軸を持つ構造とし、その軸を延伸してフックとしても良い。
【実施例２】
【００２６】
図６はポリプロピレン樹脂製のハンガーに第２発明を実施した例を示す正面図である。前面を合わせる様に左右を二つに折り畳むハンガーの中央部付近に二本の折り畳み線を設け、それぞれの折り畳み線上に点２５ａと点２５ｂを設定し、点２５ａ及び点２５ｂより下方をそれぞれ谷折り蝶番部２１ａ、谷折り蝶番部２１ｂとし谷折りの構造とし、点２５ａ及び点２５ｂより上方をそれぞれ山折り蝶番部２２ａ、山折り蝶番部２２ｂとして山折りの構造とし、更に、左の折り畳む部材の点２５ａより上方外側に向かって斜めに谷折り蝶番部２３ａを設け谷折りの構造とし、同様に右の部材の点２５ｂより上方外側に向かって斜めに谷折り蝶番部２３ｂを設け谷折りの構造とする。
【００２７】
谷折り蝶番部２１ａと谷折り蝶番部２３ａに挟まれる部位を本体左半部２６ａとし、谷折り蝶番部２１ｂと谷折り蝶番部２３ｂに挟まれる部位を本体右半部２６ｂとし、山折り蝶番部２２ａと谷折り蝶番部２３ａに挟まれる部位を首部左半部２７ａとし、山折り蝶番部２２ｂと谷折り蝶番部２３ｂに挟まれる部位を首部右半部２７ｂとする。更に、首部中央部２７ｃを上方に延伸して鉤型のフック２８を設ける。
【００２８】
この様に構成すると、図７に示す様に首部２７を前方に倒すとそれに連動して本体部２６は前面を合わせる様に閉じる方向に動作する。更に首部２７を前方に倒すと図８に示す様に前面を合わせる様に左右を二つに折り畳む。
【００２９】
この状態で、二つに折り畳んだ本体部２６を衣類のネック部分に通すことは図９に示す様に容易であり、更に差し入れてから折り曲げた首部２７を元に戻す様に伸ばすと、それと連動して本体部２６が開いて衣類を支え、衣類をハンガーに掛けた状態になる。
【００３０】
また、衣類をはずす時も同様に首部２７を前方に倒すとそれに連動して本体部２６は前面を合わせる様に左右を二つに折り畳み、図９に示す状態になる。この状態で衣類からハンガーを抜き取る事は容易である。
【００３１】
この様に本体部２６の折り畳み動作と首部２７の折り畳み動作は連動して行われ、折り畳むと図８の様にフック２８と本体部２６との距離が接近する関係にある。これは可逆的であり、フック２８と本体部２６との距離を引き離すと本体部２６及び首部２７は折り畳みを解除され図６の状態、即ち使用状態のハンガーの形態となる。
【００３２】
このことを、衣類を掛けたハンガーのフック２８をハンガーレール等に掛けた使用状態に置き換えてみると、ハンガーに掛けた衣類の重量はフック２８と本体部２６との距離を遠ざける様に作用する、即ち衣類の重量は常に本体部２６を開く様に作用するから、ハンガーは衣類の重量に負けて折り畳まれることはなく、逆に、衣類の重量を利用して本体部２６を開く方向に付勢する。従って、本発明によるところのハンガーは、折り畳まれることを防ぐためのロック機構が無くても意に反して折り畳まれて衣類が脱落する様なことは無い。
【００３３】
また、実施例２においては、折り畳んだ際に本体中央部２６ｃ、首部中央部２７ｃが左右の部材の間に在り空間を確保するため、ハンガー形状の自由度が大きく、設計及びデザインがやり易い。また、折り畳み時に衣類の挟みこみを防ぐ効果がある。
【００３４】
本発明をポリプロピレン樹脂製のハンガーに実施した場合、蝶番状の折り曲げ構造部分は折り曲げ部分を薄肉にすることにより繰り返し折り曲げに耐える構造を得られ、一体成形も可能であり製造が容易である。
【００３５】
以上のように、本発明によると折り畳み式でありながら複雑な折り畳み防止機構を必要とせず、簡単な操作で折り畳み、衣類のネック部分の開口部に通し易く、かつはずし易いハンガーを提供できる。
【図面の簡単な説明】
【００３６】
【図１】本発明の実施例１におけるハンガーの使用状態の姿を示す正面図。
【図２】本発明の実施例１における折り畳み始めの状態を示す斜視図。
【図３】本発明の実施例１における折り畳んだ状態を示す斜視図。
【図４】本発明の実施例１における折り畳んだハンガーを衣類に通す状態を示す斜視図。
【図５】本発明の実施例１における派生案を示す斜視図。
【図６】本発明の実施例２におけるハンガーの使用状態の姿を示す正面図。
【図７】本発明の実施例２における折り畳み始めの状態を示す斜視図。
【図８】本発明の実施例２における折り畳んだ状態を示す斜視図。
【図９】本発明の実施例２における折り畳んだハンガーを衣類に通す状態を示す斜視図。
【符号の説明】
【００３７】
１１…谷折り蝶番部
１２…山折り蝶番部
１３ａ…谷折り蝶番部
１３ｂ…谷折り蝶番部
１５…点
１６…本体部
１６ａ…本体左半部
１６ｂ…本体右半部
１７…首部
１７ａ…首部左半部
１７ｂ…首部右半部
１８…フック
２１ａ…谷折り蝶番部
２１ｂ…谷折り蝶番部
２２ａ…山折り蝶番部
２２ｂ…山折り蝶番部
２３ａ…谷折り蝶番部
２３ｂ…谷折り蝶番部
２５ａ…点
２５ｂ…点
２６…本体部
２６ａ…本体左半部
２６ｂ…本体右半部
２６ｃ…本体中央部
２７…首部
２７ａ…首部左半部
２７ｂ…首部右半部
２７ｃ…首部中央部
２８…フック
【図１】
2007244450.tif 000003
【図２】
2007244450.tif 000004
【図３】
2007244450.tif 000005
【図４】
2007244450.tif 000006
【図５】
2007244450.tif 000007
【図６】
2007244450.tif 000008
【図７】
2007244450.tif 000009
【図８】
2007244450.tif 000010
【図９】
2007244450.tif 000011
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
前面を合わせる様に左右を二つに折り畳む衣類用ハンガーにおいて、ハンガーの中央部付近に縦に一本の折り畳み線を設定し、その折り畳み線上に該折り畳み線を二分する様に点(15)を設定し、点(15)より下方を谷折りの蝶番状の構造とし、谷折り蝶番部(11)とする。点(15)より上方を山折りの蝶番状の構造とし、山折り蝶番部(12)とする。更に、左側の折り畳む部材に点(15)より斜め左上方に向かって谷折り蝶番部(13a)を設定し谷折りの構造とし、右側の折り畳む部材に点(15)より斜め右上方に向かって谷折り蝶番部(13b)を設定し谷折りの構造とする。谷折り蝶番部(11)と谷折り蝶番部(13a)に挟まれる部位を本体左半部(16a)として衣類の一方のショルダー部を支える部分とし、谷折り蝶番部(11)と谷折り蝶番部(13b)に挟まれる部位を本体右半部(16b)として衣類のもう一方のショルダー部を支える部分とする。山折り蝶番部(12)と谷折り蝶番部(13a)に挟まれる部位を首部左半部(17a)、山折り蝶番部(12)と谷折り蝶番部(13b)に挟まれる部位を首部右半部(17b)とし、更に、首部左半部(17a)、もしくは首部右半部(17b)を上方に延伸した部分に鉤型のフック(18)を設けたことを特徴とする衣類用ハンガー。
【請求項２】
前面を合わせる様に左右を二つに折り畳む衣類用ハンガーにおいて、ハンガーの中央部付近に縦に二本の折り畳み線を設定し、それぞれの折り畳み線上に該折り畳み線を二分する様に点(25a)と点(25b)を設定し、点(25a)及び点(25b)より下方をそれぞれ谷折りの蝶番状の構造とし、谷折り蝶番部(21a)及び
(21b)とする。点(25a)及び点(25b)より上方をそれぞれ山折りの蝶番状の構造とし、山折り蝶番部(22a)及び山折り蝶番部(22b)とする。更に、左側の折り畳む部材に点(25a)より上方外側に向かって斜めに谷折り蝶番部(23a)を設定し谷折りの構造とし、右側の折り畳む部材に点(25b)より上方外側に向かって斜めに谷折り蝶番部(23b)を設定し谷折りの構造とする。谷折り蝶番部(21a)と谷折り蝶番部(23a)に挟まれる部位を本体左半部(26a)として衣類の一方のショルダー部を支える部分とし、谷折り蝶番部(21b)と谷折り蝶番部(23b)に挟まれる部位を本体右半部(26b)として衣類のもう一方のショルダー部を支える部分とする。更に、山折り蝶番部(22a)と山折り蝶番部(22b)に挟まれる首部中央部(27c)を上方に延伸した部分に鉤型のフック(28)を設けたことを特徴とする衣類用ハンガー。
【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
前面を合わせる様に左右を二つに折り畳む衣類用ハンガーにおいて、ハンガーの中央部付近に縦に一本の折り畳み線を設定し、その折り畳み線上に該折り畳み線を二分する様に点(15)を設定し、この点(15)より下方を中央縦谷折り蝶番部(11)として谷折りの蝶番状の構造とし、この点(15)より上方を中央縦山折り蝶番部(12)として山折りの蝶番状の構造とし、更に、左側の折り畳む部材に前記点(15)より斜め左上方に向かって左半部斜め谷折り蝶番部(13a)を設定し谷折りの構造とし、右側の折り畳む部材に前記点(15)より斜め右上方に向かって右半部斜め谷折り蝶番部(13b)を設定し谷折りの構造とし、前述の中央縦谷折り蝶番部(11)と同じく前述の左半部斜め谷折り蝶番部(13a)に挟まれる部位を衣類の一方のショルダー部を支える部分とし、前述の中央縦谷折り蝶番部(11)と同じく前述の右半部斜め谷折り蝶番部(13b)に挟まれる部位を衣類のもう一方のショルダー部を支える部分とし、更に、前述の中央縦山折り蝶番部(12)と同じく前述の左半部斜め谷折り蝶番部(13a)に挟まれる部位、もしくは前述の中央縦山折り蝶番部(12)と同じく前述の右半部斜め谷折り蝶番部(13b)に挟まれる部位を上方に延伸した部分に鉤型のフック(18)を設けたことを特徴とする衣類用ハンガーの構造。
【請求項２】
前面を合わせる様に左右を二つに折り畳む衣類用ハンガーにおいて、ハンガーの中央部付近に縦に二本の折り畳み線を設定し、それぞれの折り畳み線上に該折り畳み線を二分する様に第１の点(25a)と第２の点(25b)を設定し、この第１の点(25a)及びこの第２の点(25b)より下方をそれぞれ中央縦第１谷折り蝶番部(21a)及び中央縦第２谷折り蝶番部(21b)として谷折りの蝶番状の構造とし、この第１の点(25a)及び同じくこの第２の点(25b)より上方をそれぞれ中央縦第１山折り蝶番部(22a)及び中央縦第２山折り蝶番部(22b)とし山折りの蝶番状の構造とし、更に、左側の折り畳む部材に前記第１の点(25a)より上方外側に向かって斜めに左半部斜め谷折り蝶番部(23a)を設定し谷折りの構造とし、右側の折り畳む部材に前記第２の点(25b)より上方外側に向かって斜めに右半部斜め谷折り蝶番部(23b)を設定し谷折りの構造とし、前述の中央縦第１谷折り蝶番部(21a)と同じく前述の左半部斜め谷折り蝶番部(23a)に挟まれる部位を衣類の一方のショルダー部を支える部分とし、前述の中央縦第２谷折り蝶番部(21b)と同じく前述の右半部斜め谷折り蝶番部(23b)に挟まれる部位を衣類のもう一方のショルダー部を支える部分とし、更に、前述の中央縦第１山折り蝶番部(22a)と同じく前述の中央縦第２山折り蝶番部(22b)に挟まれる部位を上方に延伸した部分に鉤型のフック(28)を設けたことを特徴とする衣類用ハンガーの構造。
【手続補正２】
【補正対象書類名】明細書
【補正対象項目名】０００６
【補正方法】変更
【補正の内容】
【０００６】
第１発明では、この課題を解決する手段として、前面を合わせる様に左右を二つに折り畳むハンガーの中央部付近に縦に一本の折り畳み線を設定し、その折り畳み線上に該折り畳み線を二分する様に点１５を設定し、この点１５より下方を中央縦谷折り蝶番部１１として谷折りの蝶番状の構造とし、この点１５より上方を中央縦山折り蝶番部１２として山折りの蝶番状の構造とし、更に、左側の折り畳む部材に前記点１５より斜め左上方に向かって左半部斜め谷折り蝶番部１３ａを設定し谷折りの構造とし、右側の折り畳む部材に前記点１５より斜め右上方に向かって右半部斜め谷折り蝶番部１３ｂを設定し谷折りの構造とし、前述の中央縦谷折り蝶番部１１と同じく前述の左半部斜め谷折り蝶番部１３ａに挟まれる部位を衣類の一方のショルダー部を支える部分とし、前述の中央縦谷折り蝶番部１１と同じく前述の右半部斜め谷折り蝶番部１３ｂに挟まれる部位を衣類のもう一方のショルダー部を支える部分とし、更に、前述の中央縦山折り蝶番部１２と同じく前述の左半部斜め谷折り蝶番部１３ａに挟まれる部位、もしくは前述の中央縦山折り蝶番部１２と同じく前述の右半部斜め谷折り蝶番部１３ｂに挟まれる部位を上方に延伸した部分に鉤型のフック１８を設ける。
【手続補正３】
【補正対象書類名】明細書
【補正対象項目名】０００７
【補正方法】変更
【補正の内容】
【０００７】
第２発明では、前面を合わせる様に左右を二つに折り畳むハンガーの中央部付近に縦に二本の折り畳み線を設定し、それぞれの折り畳み線上に該折り畳み線を二分する様に第１の点２５ａと第２の点２５ｂを設定し、この第１の点２５ａ及びこの第２の点２５ｂより下方をそれぞれ中央縦第１谷折り蝶番部２１ａ及び中央縦第２谷折り蝶番部２１ｂとして谷折りの蝶番状の構造とし、この第１の点２５ａ及び同じくこの第２の点２５ｂより上方をそれぞれ中央縦第１山折り蝶番部２２ａ及び中央縦第２山折り蝶番部２２ｂとし山折りの蝶番状の構造とし、更に、左側の折り畳む部材に前記第１の点２５ａより上方外側に向かって斜めに左半部斜め谷折り蝶番部２３ａを設定し谷折りの構造とし、右側の折り畳む部材に前記第２の点２５ｂより上方外側に向かって斜めに右半部斜め谷折り蝶番部２３ｂを設定し谷折りの構造とし、前述の中央縦第１谷折り蝶番部２１ａと同じく前述の左半部斜め谷折り蝶番部２３ａに挟まれる部位を衣類の一方のショルダー部を支える部分とし、前述の中央縦第２谷折り蝶番部２１ｂと同じく前述の右半部斜め谷折り蝶番部２３ｂに挟まれる部位を衣類のもう一方のショルダー部を支える部分とし、更に、前述の中央縦第１山折り蝶番部２２ａと同じく前述の中央縦第２山折り蝶番部２２ｂに挟まれる部位を上方に延伸した部分に鉤型のフック２８を設ける。
【手続補正４】
【補正対象書類名】明細書
【補正対象項目名】００１５
【補正方法】変更
【補正の内容】
【００１５】
図１はポリプロピレン樹脂製のハンガーに第１発明を実施した例を示す正面図である。前面を合わせる様に左右を二つに折り畳む折り畳み線上に点１５を設け、点１５より下方を中央縦谷折り蝶番部１１とし谷折りの構造とし、点１５より上方を中央縦谷折り蝶番部１２として山折りの構造とし、更に、左側の折り畳む部材に点１５より斜め左上方に向かって左半部斜め谷折り蝶番部１３ａを設け谷折りの構造とし、右側の折り畳む部材に点１５より斜め右上方に向かって右半部斜め谷折り蝶番部１３ｂを設け谷折りの構造とする。
【手続補正５】
【補正対象書類名】明細書
【補正対象項目名】００１６
【補正方法】変更
【補正の内容】
【００１６】
中央縦谷折り蝶番部１１と左半部斜め谷折り蝶番部１３ａに挟まれる部位を本体左半部１６ａとし、中央縦谷折り蝶番部１１と右半部斜め谷折り蝶番部１３ｂに挟まれる部位を本体右半部１６ｂとし、中央縦谷折り蝶番部１２と左半部斜め谷折り蝶番部１３ａに挟まれる部位を首部左半部１７ａとし、中央縦谷折り蝶番部１２と右半部斜め谷折り蝶番部１３ｂに挟まれる部位を首部右半部１７ｂとする。更に、首部左半部１７ａを上方に延伸して鉤型のフック１８を設ける。
【手続補正６】
【補正対象書類名】明細書
【補正対象項目名】００２６
【補正方法】変更
【補正の内容】
【００２６】
図６はポリプロピレン樹脂製のハンガーに第２発明を実施した例を示す正面図である。前面を合わせる様に左右を二つに折り畳むハンガーの中央部付近に二本の折り畳み線を設け、それぞれの折り畳み線上に第１の点２５ａと第２の点２５ｂを設定し、第１の点２５ａ及び第２の点２５ｂより下方をそれぞれ中央縦第１谷折り蝶番部２１ａ、中央縦第２谷折り蝶番部２１ｂとし谷折りの構造とし、第１の点２５ａ及び第２の点２５ｂより上方をそれぞれ中央縦第１山折り蝶番部２２ａ、中央縦第２山折り蝶番部２２ｂとして山折りの構造とし、更に、左の折り畳む部材の第１の点２５ａより上方外側に向かって斜めに左半部斜め谷折り蝶番部２３ａを設け谷折りの構造とし、同様に右の部材の第２の点２５ｂより上方外側に向かって斜めに右半部斜め谷折り蝶番部２３ｂを設け谷折りの構造とする。
【手続補正７】
【補正対象書類名】明細書
【補正対象項目名】００２７
【補正方法】変更
【補正の内容】
【００２７】
中央縦第１谷折り蝶番部２１ａと左半部斜め谷折り蝶番部２３ａに挟まれる部位を本体左半部２６ａとし、中央縦第２谷折り蝶番部２１ｂと右半部斜め谷折り蝶番部２３ｂに挟まれる部位を本体右半部２６ｂとし、中央縦第１山折り蝶番部２２ａと左半部斜め谷折り蝶番部２３ａに挟まれる部位を首部左半部２７ａとし、中央縦第２山折り蝶番部２２ｂと右半部斜め谷折り蝶番部２３ｂに挟まれる部位を首部右半部２７ｂとする。更に、首部中央部２７ｃを上方に延伸して鉤型のフック２８を設ける。
【手続補正８】
【補正対象書類名】明細書
【補正対象項目名】００３７
【補正方法】変更
【補正の内容】
【００３７】
１１…中央縦谷折り蝶番部
１２…中央縦山折り蝶番部
１３ａ…左半部斜め谷折り蝶番部
１３ｂ…右半部斜め谷折り蝶番部
１５…点
１６…本体部
１６ａ…本体左半部
１６ｂ…本体右半部
１７…首部
１７ａ…首部左半部
１７ｂ…首部右半部
１８…フック
２１ａ…中央縦第１谷折り蝶番部
２１ｂ…中央縦第２谷折り蝶番部
２２ａ…中央縦第１山折り蝶番部
２２ｂ…中央縦第２山折り蝶番部
２３ａ…左半部斜め谷折り蝶番部
２３ｂ…右半部斜め谷折り蝶番部
２５ａ…第１の点
２５ｂ…第２の点
２６…本体部
２６ａ…本体左半部
２６ｂ…本体右半部
２６ｃ…本体中央部
２７…首部
２７ａ…首部左半部
２７ｂ…首部右半部
２７ｃ…首部中央部
２８…フック